(57)【要約】【課題】  カウンターに上方から荷重がかかっても機器ユニットが損傷しない。カウンターを壁面に取付けているカウンター固定金具が損傷したり、該カウンター固定金具のや釘による固定部分が緩まない。カウンター下面への機器ユニットの取付けの収まりがよい。【解決手段】  壁面１から突設したカウンター２の下面に機器ユニット３を取付けるカウンター２への機器ユニット３の取付け構造である。後端部に平断面弧状をした弾性片４を設けた側片５の上端部にカウンター取付け用上横片６を設けると共に側片５の前端部に機器ユニット取付け用縦片７を設けて取付け金具８を形成する。カウンター２の下面に上記取付け金具８のカウンター取付け用上横片６を取着する。機器ユニット取付け用縦片７に機器ユニット３を取付ける。機器ユニット３と壁面１との間に隙間９を形成し、弾性片４を壁面１に当接又は上記間隔よりも短い小間隙を介して対向させる。【選択図】        図１
2010136936.tif 000002
【特許請求の範囲】
【請求項１】
壁面から突設したカウンターの下面に機器ユニットを取付けるカウンターへの機器ユニットの取付け構造であって、後端部に平断面弧状をした弾性片を設けた側片の上端部にカウンター取付け用上横片を設けると共に側片の前端部に機器ユニット取付け用縦片を設けて取付け金具を形成し、カウンターの下面に上記取付け金具のカウンター取付け用上横片を取着し、機器ユニット取付け用縦片に機器ユニットを取付け、機器ユニットと壁面との間に隙間を形成し、弾性片を壁面に当接又は上記間隔よりも短い小間隙を介して対向させて成ることを特徴とするカウンターへの機器ユニットの取付け構造。
【請求項２】
カウンターの下面に取付けた一対の取付け金具の前端部間に機器ユニットが配設されて成ることを特徴とする請求項１記載のカウンターへの機器ユニットの取付け構造。
【発明の詳細な説明】
【技術分野】
【０００１】
本発明は、壁面から突設したカウンターの下面に機器ユニットを取付けるカウンターへの機器ユニットの取付け構造に関するものである。
【背景技術】
【０００２】
従来から、トイレなどの狭い空間の部屋の壁面から突設したカウンターの下面に消臭ユニット、暖房ユニット、制御ユニット等の機器ユニットを取付けることが行われている。
【０００３】
カウンターの下面に機器ユニットを取付けるに当たって、ボックス形状をした機器ユニットの後端部を壁面に当接するように取付けることが行われている。しかしながらこのような従来例にあっては、カウンターに上方からの荷重がかかった際に、カウンターが一時的に前下がりになり、機器ユニットの後端部が壁面に強く押付けられ、機器ユニットが損傷するおそれがある。
【０００４】
そこで、カウンターの下面に機器ユニットを取付けるに当たって、ボックス形状をした機器ユニットの後端部と壁面との間に隙間が生じるようにしたものが特許文献１により知られている。
【０００５】
この特許文献１に示された従来例にあっては、機器ユニットの後端部と壁面との間に隙間が生じるように機器ユニットをカウンターの下面に取付けてあるので、カウンターに上方から荷重がかかり、カウンターが一時的に前下がりになっても、機器ユニットの後端部が壁面に当たらないようにできる。しかしながら、この従来例にあっては、カウンターにかかる上方からの荷重が大きい場合は、カウンターを壁面に取付けているカウンター固定金具のみで支えなければならないため、カウンター固定金具が変形したり、あるいはカウンター固定金具とカウンターや壁とを固定している木ねじによる固定部分が緩んだりするという問題がある。
【０００６】
しかも、上記特許文献１に示された従来例のように、ボックス形状をした機器ユニットの後端部と壁面との間に隙間が生じるように機器ユニットをカウンターの下面に取付けたものにおいては、機器ユニットの後端部と壁面との間の隙間を隠すものがないので収まりが悪く、外観がよくないという問題がある。
【特許文献１】特許第４１１７５０１号公報
【発明の開示】
【発明が解決しようとする課題】
【０００７】
本発明は上記の従来の問題点に鑑みて発明したものであって、カウンターに上方から荷重がかかって、カウンターが一時的に前下がりになっても、機器ユニットが損傷せず、さらに、カウンターを壁面に固定しているカウンター固定金具が損傷したり、該カウンター固定金具の木ねじ等による固定部分が緩まないように支持でき、しかもカウンター下面への機器ユニットの取付けの収まりがよいカウンターへの機器ユニットの取付け構造を提供することを課題とするものである。
【課題を解決するための手段】
【０００８】
本発明は、壁面１から突設したカウンター２の下面に機器ユニット３を取付けるカウンター２への機器ユニット３の取付け構造である。本発明の特徴とするところは、後端部に平断面弧状をした弾性片４を設けた側片５の上端部にカウンター取付け用上横片６を設けると共に側片５の前端部に機器ユニット取付け用縦片７を設けて取付け金具８を形成し、カウンター２の下面に上記取付け金具８のカウンター取付け用上横片６を取着し、機器ユニット取付け用縦片７に機器ユニット３を取付け、機器ユニット３と壁面１との間に隙間９を形成し、弾性片４を壁面１に当接又は上記間隔よりも短い小間隙を介して対向させたことにある。
【０００９】
このような構成とすることで、カウンター２に上方からの荷重がかかった際、カウンター２が一時的に前下がりになることがあるが、このような場合、機器ユニット３は壁面１に当たらず、弾性片４が壁面１に当たって弾性変形して上記荷重を支持することになる。したがって、機器ユニット３が損傷することがなく、また、カウンター２にかかった荷重を弾性片４が壁面１に当って弾性変形することで支持できて、カウンター２を壁面１に取付けているカウンター固定金具１３が損傷したり、該カウンター固定金具１３の木ねじ等による固定部分が緩まないようにできる。
【００１０】
また、カウンター２の下面に取付けた一対の取付け金具８の前端部間に機器ユニット３が配設されることが好ましい。
【００１１】
このような構成とすることで、機器ユニット３の後端部と壁面１との間の隙間９を両側の取付け金具８の側片５で隠すことになり、外から見た場合、カウンター２の下面側に配置した機器ユニット３と、取付け金具８の側片５とであたかも単一のボックス状のユニットの前面、側面を構成しているかのような外観にできて収まりが良くなる。
【発明の効果】
【００１２】
本発明は、上記のように機器ユニット取付け用縦片に機器ユニットを取付け、機器ユニットと壁面との間に隙間を形成し、弾性片を壁面に当接又は上記間隔よりも短い小間隙を介して対向させたので、カウンターに上方から荷重がかかって、カウンターが一時的に前下がりになっても、弾性片の弾性変形により支持してカウンターの変形を抑制すると共に、機器ユニットの後端部が壁面に当たって損傷したりすることがない。しかも、上記のようにカウンターに上方からかかった荷重を弾性片の弾性変形により支持できるので、カウンターを壁面に取付けているカウンター固定金具が損傷したり、該カウンター固定金具の木ねじ等による固定部分が緩まないように支持できる。
【００１３】
また、カウンターの下面に取付けた一対の取付け金具の前端部間に機器ユニットを配設することで、機器ユニットの後端部と壁面との間の隙間を両側の取付け金具の側片で隠すことができる。しかも、カウンターの下面側に配置した機器ユニットと、取付け金具の側片とであたかも単一のボックス状のユニットの前面、側面を構成しているかのような外観となり、カウンター下面に機器ユニットを収まりよく取付けることができる。
【発明を実施するための最良の形態】
【００１４】
以下、本発明を添付図面に示す実施形態に基いて説明する。
【００１５】
カウンター２はカウンター固定金具１３を用いて壁面１に取付けてある。
【００１６】
この壁面１から突設したカウンター２の下面に取付け金具８を用いて機器ユニット３が取付けてある。
【００１７】
取付け金具８は、図５に示すように、機器ユニット３の側面に対向して配置される縦板状をした側片５の後端部に平断面弧状をした弾性片４を一体に連設し、側片５の上端部を直角に屈折してカウンター取付け用上横片６を一体に連設し、更に、側片５の前端部を直角に屈折して機器ユニット取付け用縦片７を一体に連設することで構成してある。
【００１８】
上記弾性片４、カウンター取付け用上横片６、機器ユニット取付け用縦片７はいずれも側片５の同一面側（内面側）に折曲して突設してある。
【００１９】
上記の構成の取付け金具８を用いてカウンター２の下面に機器ユニット３を取付けるには以下のようにして取付ける。
【００２０】
すなわち、図２に示すように、カウンター２の下面にカウンター２の長手方向にある間隔を隔てて一対の取付け金具８を取付ける。
【００２１】
この場合、側片５を壁面１に対して直角に配置して弾性片４を壁面１に当接又は小間隙を介して対向させた状態で、カウンター取付け用上横片６をカウンター２の下面にビスや釘等の取着手段により取付ける。
【００２２】
次に、上記一対の取付け金具８の前端部間に１乃至複数の機器ユニット３を配置して、機器ユニット３の側端部を取付け金具８の機器ユニット取付け用縦片７の前面にねじ具のような取付け手段により取付ける。
【００２３】
機器ユニット３は本体部１０の前面部の外端部にフランジ部１１が設けてあり、該フランジ部１１を機器ユニット取付け用縦片７の前面に重ねて取付け手段により取付ける。機器ユニット３を一つだけ取付ける場合は、機器ユニット３の両側のフランジ部１１を一対の取付け金具８の機器ユニット取付け用縦片７の前面にそれぞれ重ねて取着手段により取付ける。また、機器ユニット３を複数個横方向（カウンター２の長手方向と平行な方向）に並べて取付ける場合は、両側に位置する機器ユニット３の外側端部のフランジ部１１をそれぞれ一対の取付け金具８の機器ユニット取付け用縦片７の前面にそれぞれ重ねて取付け、隣合う機器ユニット３側のフランジ部１１をそれぞれ連結金具１２の前面に重ねて取付け手段で取付けて連結する。この場合、連結金具１２はカウンター２の下面に取着手段により先に取着しておく。
【００２４】
なお、連結金具１２の後端部と壁面１との間には隙間が形成されるように取付けるが、上記取付け金具８と同様に連結金具１２の後端部に平断面弧状をした弾性片を一体に設ける場合は、該弾性片を壁面１に当接又は小間隙を介して対向するように取付ける。
【００２５】
機器ユニット３としては、例えば、消臭ユニット３ａ、コントロールパネルのような制御ユニット３ｂ、暖房ユニット等を挙げることができる。
【００２６】
上記のようにしてカウンター２の下面に取付け金具８を用いて機器ユニット３を取付けるのであるが、機器ユニット３の後端部（フランジ部１１よりも後方向に突出した本体部１０の後端部）と壁面１との間には図３、図４に示すように隙間９が形成されるように取付ける。
【００２７】
ここで、図３、図５（ｂ）（ｃ）に示すように取付け金具８の弾性片４の上端が側片５の上端（つまりカウンター取付け用上横片６）よりもやや下方に位置していて、弾性片４の上端がカウンター２の下面に接触せず、後述のように弾性片４が弾性変形する際にカウンター２が規制しないようになっている。また、機器ユニット取付け用縦片７の上端も側片５の上端よりもやや下方に位置して、機器ユニット取付け用縦片７に機器ユニット３を取付けた状態で、図３に示すように機器ユニット３の上端がカウンター２の下面に接触しないように両者の間に小間隙Ｓを設けるようになっている。
【００２８】
このようにしてカウンター２の下面に取付け金具８を用いて機器ユニット３を取付けると、上記機器ユニット３の後端部と壁面１との間の隙間９が取付け金具８の弾性片４を設けた側片５により隠される。したがって、外から見た場合、図１に示すように、カウンター２の下面側に配置した機器ユニット３と、取付け金具８の側片５とであたかも単一のボックス状のユニットの前面、側面を構成しているかのような外観にできて収まりが良くなる。
【００２９】
ところで、カウンター２には上方から大きな荷重がかかり、一時的にカウンター２が前下がりに変形しようとするが、このような場合は、取付け金具８の後端部の弾性片４が壁面１に対して強く押付けられて弾性変形して上記荷重を負担するようになっており、これにより、カウンター２を壁面１に固定しているカウンター固定金具１３が損傷したり、該カウンター固定金具１３のビスや釘による固定部分が緩まないように支持できることになる。
【００３０】
また、図３、図４に示すように、機器ユニット３の後端部と壁面１との間に隙間９が設けてあるので、上記カウンター２に上方から大きな荷重がかかっても、弾性片４が弾性変形するのみで、機器ユニット３の後端部が壁面１に当たらないようになっており、機器ユニット３が損傷しないようになっている。
【００３１】
したがって、弾性片４の後端部が壁面１に対して小間隙を介して対向している場合、機器ユニット３の後端部と壁面１との間の隙間９の長さは上記小間隙よりも長く、しかも、上記カウンター２に上方から大きな荷重がかかって弾性片４が壁面１に押付けられて弾性変形した場合でも機器ユニット３の後端部が壁面１に当接しないような隙間幅に設定してある。
【図面の簡単な説明】
【００３２】
【図１】本願の斜視図である。
【図２】同上の機器ユニットを取付ける前の状態を示す分解斜視図である。
【図３】同上の概略垂直断面図である。
【図４】同上の概略水平断面図である。
【図５】同上に用いる取付け金具を示し、（ａ）は平面図であり、（ｂ）は背面図であり、（ｃ）は側面図である。
【符号の説明】
【００３３】
１  壁面
２  カウンター
３  機器ユニット
４  弾性片
５  側片
６  カウンター取付け用上横片
７  機器ユニット取付け用縦片
８  取付け金具
９  隙間
【図１】
2010136936.tif 000003
【図２】
2010136936.tif 000004
【図３】
2010136936.tif 000005
【図４】
2010136936.tif 000006
【図５】
2010136936.tif 000007